(57)【要約】【課題】より高い利便性を有する映像処理装置、映像処理方法、及び映像処理プログラムを提供する。【解決手段】一実施形態に係る映像処理装置は、ストリームを受信する受信部と、前記ストリームを録画用の録画ストリームに変換する信号処理部と、前記ストリームからチャプタを生成するチャプタ生成部と、前記録画ストリームと、前記チャプタとを記憶媒体に録画する録画処理部と、前記録画処理部により録画している前記録画ストリームに対応する前記チャプタの一覧を含む画面を生成する画面生成部と、生成した前記画面を出力する出力部と、を具備する。【選択図】      図１
2014007701.tif 000002
【特許請求の範囲】
【請求項１】
ストリームを受信する受信部と、
前記ストリームを録画用の録画ストリームに変換する信号処理部と、
前記ストリームからチャプタを生成するチャプタ生成部と、
前記録画ストリームと、前記チャプタとを記憶媒体に録画する録画処理部と、
前記録画処理部により録画している前記録画ストリームに対応する前記チャプタの一覧を含む画面を生成する画面生成部と、
生成した前記画面を出力する出力部と、
を具備する映像処理装置。
【請求項２】
前記記憶媒体に記憶されている前記録画ストリームを再生する再生部をさらに具備し、
前記画面生成部は、録画ストリームが再生された再生映像と、前記チャプタの一覧とを含む画面を生成する請求項１に記載の映像処理装置。
【請求項３】
前記受信部は、複数のストリームを同時に受信し、
前記信号処理部は、複数のストリームを複数の録画ストリームにそれぞれ変換し、
前記チャプタ生成部は、前記複数のストリーム毎に前記チャプタをそれぞれ生成し、
前記録画処理部は、前記録画ストリームと、前記録画ストリームに対応する前記チャプタとを対応付けて記憶媒体に記憶し、
前記画面生成部は、前記記憶媒体に記憶されている複数の前記録画ストリームの再生映像と、複数の前記録画ストリームのうちのいずれかに対応した前記チャプタの一覧とを含む画面を生成する、
請求項２に記載の映像処理装置。
【請求項４】
前記画面生成部は、操作入力に応じて複数の前記録画ストリームのうちの１つを選択し、選択した前記録画ストリームに対応した前記チャプタの一覧と、前記記憶媒体に記憶されている複数の前記録画ストリームの再生映像と、を含む画面を生成する、請求項３に記載の映像処理装置。
【請求項５】
前記受信部は、複数のストリームを同時に受信し、
前記信号処理部は、複数のストリームを複数の録画ストリームにそれぞれ変換し、
前記チャプタ生成部は、前記複数のストリーム毎に前記チャプタをそれぞれ生成し、
前記録画処理部は、前記録画ストリームと、前記録画ストリームに対応する前記チャプタとを対応付けて記憶媒体に記憶し、
前記画面生成部は、前記記憶媒体に記憶されている複数の前記録画ストリームの再生映像と、複数の前記録画ストリームにそれぞれ対応した複数の前記チャプタの一覧とを含む画面を生成する、
請求項２に記載の映像処理装置。
【請求項６】
前記再生部は、操作入力に応じて前記画面上のチャプタのうちの１つを選択し、選択したチャプタから前記録画ストリームの再生を開始する、請求項２に記載の映像処理装置。
【請求項７】
前記録画処理部は、前記録画ストリームの録画が完了してから予め設定された時間が経過した場合、前記録画ストリーム及び前記録画ストリームに対応付けられた前記チャプタを前記記憶媒体から削除する、請求項１に記載の映像処理装置。
【請求項８】
ストリームを受信し、
前記ストリームを録画用の録画ストリームに変換し、
前記ストリームからチャプタを生成し、
前記録画ストリームと、前記チャプタとを記憶媒体に録画し、
録画している前記録画ストリームに対応する前記チャプタの一覧を含む画面を生成し、
生成した前記画面を出力する、
映像処理方法。
【請求項９】
映像処理装置において実行される映像処理プログラムであって、前記映像処理装置を、
ストリームを受信する受信部と、
前記ストリームを録画用の録画ストリームに変換する信号処理部と、
前記ストリームからチャプタを生成するチャプタ生成部と、
前記録画ストリームと、前記チャプタとを記憶媒体に録画する録画処理部と、
前記録画処理部により録画している前記録画ストリームに対応する前記チャプタの一覧を含む画面を生成する画面生成部と、
生成した前記画面を出力する出力部と、
して動作させる映像処理プログラム。
【発明の詳細な説明】
【技術分野】
【０００１】
本発明の実施形態は、映像処理装置、映像処理方法、及び映像処理プログラムに関する。
【背景技術】
【０００２】
従来、映画、テレビ番組、またはゲームなどの映像コンテンツ（ストリーム）を記録（録画）、及び再生することができる映像処理装置が一般的に普及している。映像処理装置は、コンテンツを録画する場合、録画したコンテンツの映像から複数のチャプタを生成することができる。
【０００３】
また、放送信号から複数のチャンネルを選局し、選局した複数のチャンネルのコンテンツを同時に録画することができる映像処理装置が一般的に普及している。
【先行技術文献】
【特許文献】
【０００４】
【特許文献１】特開２００８−２９４９３８号公報
【発明の概要】
【発明が解決しようとする課題】
【０００５】
従来の映像処理装置は、録画を行いつつチャプタを生成することができない。この為、録画中の番組の過去のシーンをチャプタとしてユーザに選択させることができない。この結果、利便性を損なう可能性があるという課題がある。
【０００６】
本発明の目的は、より高い利便性を有する映像処理装置、映像処理方法、及び映像処理プログラムを提供することである。
【課題を解決するための手段】
【０００７】
一実施形態に係る映像配信装置は、ストリームを受信する受信部と、前記ストリームを録画用の録画ストリームに変換する信号処理部と、前記ストリームからチャプタを生成するチャプタ生成部と、前記録画ストリームと、前記チャプタとを記憶媒体に録画する録画処理部と、前記録画処理部により録画している前記録画ストリームに対応する前記チャプタの一覧を含む画面を生成する画面生成部と、生成した前記画面を出力する出力部と、を具備する。
【図面の簡単な説明】
【０００８】
【図１】図１は、一実施形態に係る映像処理装置について説明する為の図である。
【図２】図２は、一実施形態に係る映像処理装置について説明する為の図である。
【図３】図３は、一実施形態に係る映像処理装置について説明する為の図である。
【発明を実施するための形態】
【０００９】
以下、図を参照しながら、一実施形態に係る映像処理装置、映像処理方法、及び映像処理プログラムについて詳細に説明する。
【００１０】
図１は、一実施形態に係る映像処理装置１００の例を示す。  
映像処理装置１００は、例えば、放送信号、または記憶媒体に記憶されている映像コンテンツなどを再生することができる放送受信装置、またはレコーダなどの電子機器である。
【００１１】
映像処理装置１００は、チューナ１１１、復調部１１２、信号処理部１１３、音声処理部１２１、映像処理部１３１、表示処理部１３３、制御部１５０、ストレージ１６０、操作入力部１６１、受光部１６２、ＬＡＮインターフェース１７１、及びＨＤＭＩ端子１７３を備える。また、映像処理装置１００は、さらにスピーカ１２２及びディスプレイ１３４を備える。
【００１２】
チューナ１１１は、例えばアンテナ１０１により受信されたディジタル放送信号を受け取ることができる。アンテナ１０１は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。チューナ１１１は、上記したディジタル放送信号により供給される番組などのコンテンツのデータ（ストリーム）を受け取ることができる。
【００１３】
チューナ１１１は、ディジタル放送信号用のチューナである。チューナ１１１は、受け取ったディジタル放送信号のチューニング（選局）を行う。チューナ１１１は、チューニングしたディジタル放送信号を復調部１１２に送信する。なお、映像処理装置１００は、複数のチューナ１１１を備える。映像処理装置１００は、複数のチューナにより複数の放送信号を同時に選局することができる。
【００１４】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。なお、映像処理装置１００は、複数の復調部１１２を備える。複数の復調部１１２は、複数のチューナ１１１により選局された複数の信号をそれぞれ復調することができる。
【００１５】
上記のように、アンテナ１０１、チューナ１１１、及び復調部１１２は、コンテンツデータを受信する受信手段として機能する。
【００１６】
信号処理部１１３は、コンテンツデータの分離などの信号処理を行う。即ち、信号処理部１１３は、コンテンツデータをディジタル映像信号、ディジタル音声信号、及びその他のデータ信号に分離する。なお、信号処理部１１３は、複数の復調部１１２により復調された複数のＴＳを分離することができる。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００１７】
また、信号処理部１１３は、制御部１５０の制御に基づいて、上記のコンテンツデータを録画可能な状態のデータ（録画ストリーム）に変換することができる。信号処理部１１３は、制御部１５０の制御に基づいて、録画ストリームをストレージ１６０または他のモジュールに供給することができる。
【００１８】
またさらに、信号処理部１１３は、コンテンツデータのビットレートをオリジナルのビットレートから他のビットレートに変換（トランスコード）することができる。即ち、信号処理部１１３は、放送信号などに基づいて取得したオリジナルのビットレートのストリームを、より低いビットレートのストリームにトランスコードすることができる。これにより、信号処理部１１３は、より容量の少ない状態でコンテンツを録画させることができる。
【００１９】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００２０】
映像処理部１３１は、信号処理部１１３から受信したディジタル映像信号を、ディスプレイ１３４で再生可能なフォーマットの映像信号に変換する。即ち、映像処理部１３１は、信号処理部１１３から受信したディジタル映像信号を、ディスプレイ１３４で再生可能なフォーマットの映像信号にデコード（再生）する。映像処理部１３１は、映像信号を表示処理部１３３に出力する。
【００２１】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。ディスプレイ１３４は、供給される映像信号に基づいて映像を表示する。
【００２２】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００２３】
なお、映像処理装置１００は、ディスプレイ１３４の代わりに、映像信号を出力する出力端子を備える構成であってもよい。また、映像処理装置１００は、スピーカ１２２の代わりに、オーディオ信号を出力する出力端子を備える構成であってもよい。また、映像処理装置１００は、ディジタル映像信号とディジタル音声信号とを出力する出力端子を備える構成であってもよい。
【００２４】
制御部１５０は、映像処理装置１００の各部の動作を制御する制御手段として機能する。制御部１５０は、ＣＰＵ１５１、ＲＯＭ１５２、ＲＡＭ１５３、及びＥＥＰＲＯＭ（不揮発性メモリ）１５４などを備えている。制御部１５０は、操作入力部１６１から供給される操作信号に基づいて、種々の処理を行う。
【００２５】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。制御部１５０は、ＣＰＵ１５１によりプログラムを実行することにより、録画処理部１５５として機能する。
【００２６】
ＲＯＭ１５２は、映像処理装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２７】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２８】
ＥＥＰＲＯＭ１５４は、各種の設定情報、及びプログラムなどを記憶する不揮発性メモリである。
【００２９】
ストレージ１６０は、コンテンツを記憶する記憶媒体を有する。例えば、ストレージ１６０は、ハードディスクドライブ（ＨＤＤ）、ソリッドステイトドライブ（ＳＳＤ）、または半導体メモリなどにより構成される。ストレージ１６０は、信号処理部１１３から供給された録画ストリームを記憶することができる。
【００３０】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。
【００３１】
なお、タッチパッドは、静電容量式センサ、サーモセンサ、または他の方式に基づいて位置情報を生成するデバイスを含む。また、映像処理装置１００がディスプレイ１３４を備える場合、操作入力部１６１は、ディスプレイ１３４と一体に形成されるタッチパネルなどを備える構成であってもよい。
【００３２】
受光部１６２は、例えば、リモートコントローラ１６３からの操作信号を受信するセンサなどを備える。受光部１６２は、受信した信号を制御部１５０に供給する。制御部１５０は、受光部１６２から供給された信号を受信し、受信した信号を増幅させてＡ／Ｄ変換を行うことにより、リモコン１６３から送信された元の操作信号を復号する。
【００３３】
リモートコントローラ１６３は、ユーザの操作入力に基づいて操作信号を生成する。リモートコントローラ１６３は、生成した操作信号を赤外線通信により受光部１６２に送信する。なお、受光部１６２及びリモートコントローラ１６３は、電波などの他の無線通信により操作信号の送受信を行う構成であってもよい。
【００３４】
ＬＡＮインターフェース１７１は、ＬＡＮ経由でインターネット、イントラネット、またはホームネットワークなどのネットワーク上の他の機器と通信を行なう為のインターフェースである。例えば、映像処理装置１００は、ＬＡＮインターフェース１７１によりネットワーク上の機器に記録されているコンテンツを取得し、再生することができる。また、映像処理装置１００は、コンテンツデータをＬＡＮインターフェース１７１により接続される機器に出力することが出来る。
【００３５】
また、ＬＡＮインターフェース１７１は、無線ＬＡＮ経由でアクセスポイントとしての無線通信端末と通信を行なうインターフェースであってもよい。ＬＡＮインターフェース１７１は、無線通信端末経由でインターネット、またはホームネットワークなどのネットワーク上の他の機器と通信を行なうことができる。
【００３６】
ＨＤＭＩ端子１７３は、ＨＤＭＩ（High Definition Multimedia Interface）（登録商標）などの規格に基づいた通信を行なう為のインターフェースである。ＨＤＭＩ端子１７３には、ブルーレイ（登録商標）レコーダ、ＤＶＤレコーダ、ハードディスクレコーダ、または他の機器とＨＤＭＩに対応した機器が接続される。ＨＤＭＩ端子１７３は、接続された機器から出力されたコンテンツデータを受信することができる。
【００３７】
制御部１５０は、ＨＤＭＩ端子１７３により受信したコンテンツデータを信号処理部１１３に入力させる。信号処理部１１３は、受信したコンテンツデータからディジタル映像信号、及びディジタル音声信号などを分離する。信号処理部１１３は、分離したディジタル映像信号を映像処理部１３１に送信し、分離したディジタル音声信号を音声処理部１２１に送信する。
【００３８】
また、映像処理装置１００は、図示しない電源部を備える。電源部は、ＡＣアダプタなどを介して商用電源などから電力を受け取る。電源部は、受け取った交流の電力を直流に変換し、映像処理装置１００内の各部へ供給する。
【００３９】
制御部１５０の録画処理部１５５は、上記したように、録画ストリームを番組単位でストレージ１６０または他の記憶装置に録画することができる。また、録画処理部１５５は、信号処理部により録画ストリームに変換された複数のコンテンツ（番組）をストレージ１６０または他の記憶装置に同時に録画することができる。
【００４０】
また、制御部１５０は、信号処理部１１３により分離された複数のストリームのうちの１つまたは複数がディスプレイ１３４に表示されるように音声処理部１２１、映像処理部１３１、及び表示処理部１３３を制御する。
【００４１】
さらに、制御部１５０は、録画処理部１５５により録画されている最中の番組を再生する処理（録画同時再生）を実行することができる。この場合、制御部１５０は、ストレージ１６０から録画ストリームを読み出し、読み出した録画ストリームを信号処理部１１３に供給する。これにより、制御部１５０は、録画ストリームを分離させる。さらに、制御部１５０は、分離された録画ストリームがディスプレイ１３４に表示されるように音声処理部１２１、映像処理部１３１、及び表示処理部１３３を制御する。即ち、映像処理装置１００は、番組の録画と再生とを同時に実行することができる。
【００４２】
またさらに、録画処理部１５５は、番組の録画と同時にチャプタを生成することができる。チャプタは、録画ストリーム中の区切りである。録画処理部１５５は、例えば、録画ストリーム中の時間を示す情報（時間情報）をチャプタとして生成する（チャプタを打つ）。録画処理部１５５は、１つのチャプタの始まりの時間と、終わりの時間と、をチャプタとして生成する。
【００４３】
例えば、録画処理部１５５は、一定時間間隔、シーンチェンジ検出時、本編・ＣＭ切り替わり時等のタイミングでチャプタを打つ。録画処理部１５５は、無音が検出された場合、画面が白飛びまたは黒つぶれした場合、映像を構成する画素が大きく切り替わった時などにシーンチェンジを検出する。
【００４４】
またさらに、録画処理部１５５は、各チャプタ毎にサムネイルを抽出する。例えば、録画処理部１５５は、１つのチャプタの先頭の１フレームの映像をサムネイルとして抽出する。また、録画処理部１５５は、１つのチャプタの先頭からＸ番目のフレームの映像をサムネイルとして抽出する構成であってもよい。
【００４５】
録画処理部１５５は、抽出したサムネイルと、ストリーム中の位置を示す時間情報とをチャプタとして逐次生成する。録画処理部１５５は、生成したチャプタを録画ストリームに付加し、ストレージ１６０に記憶する。
【００４６】
図２は、映像処理装置１００の処理の例を示す。  
映像処理装置１００は、例えば、表示画面２００を生成する。表示画面２００は、メイン画面２０１、サブ画面２０２、及びチャプタ表示領域２０３を有する。
【００４７】
制御部１５０は、信号処理部１１３により分離された複数のストリームのうちの１つがメイン画面２０１に表示させる。また、制御部１５０は、録画処理部１５５により録画された録画ストリームに基づく映像をサブ画面２０２に表示させる。
【００４８】
なお、上記したように、録画処理部１５５は複数のコンテンツを同時に録画することができる。複数のコンテンツが同時に録画されている場合、制御部１５０は、録画処理部１５５により録画されている最中である複数の録画ストリームをストレージ１６０から読み出し、再生し、サブ画面に表示させる。
【００４９】
例えば、チャンネルＥが視聴されており、チャンネルＡ乃至Ｄが録画中であるとする。この場合、制御部１５０は、チャンネルＥのコンテンツをメイン画面２０１に表示させる。また、制御部１５０は、チャンネルＡ乃至Ｄの録画ストリームを再生し、それぞれサブ画面２０２中に表示させる。
【００５０】
さらに、制御部１５０は、サブ画面に表示されている録画ストリームのうちの１つの録画ストリームのチャプタのサムネイルの一覧をチャプタ表示領域２０３に表示する。例えば制御部１５０は、操作入力に応じてサブ画面に表示されている録画ストリームのうちの１つを選択する。制御部１５０は、選択した録画ストリームのチャプタのサムネイルの一覧をチャプタ表示領域２０３に表示する。これにより、映像処理装置１００は、録画中の番組の過去のシーンをユーザに認識させることができる。
【００５１】
さらに、チャプタ表示領域２０３にチャプタの一覧が表示されている状態で、サブ画面２０２上で異なる録画ストリームが選択された場合、制御部１５０は、新たに選択された録画ストリームのチャプタのサムネイルの一覧をチャプタ表示領域２０３に表示させる。
【００５２】
またさらに、制御部１５０は、操作入力に応じてチャプタ表示領域２０３に表示されている複数のチャプタのうちの１つを選択する。制御部１５０は、選択したチャプタに対応する録画ストリームの再生を開始する。制御部１５０は、選択したチャプタの先頭から録画ストリームを再生し、メイン画面に表示させる。また、制御部１５０は、選択したチャプタの先頭から録画ストリームを再生し、ディスプレイ１３４の全面に表示する構成であってもよい。
【００５３】
上記したように、映像処理装置１００は、番組を録画するのと同時にチャプタを生成する。さらに、映像処理装置１００は、録画している最中の番組のチャプタを表示画面に表示させる。これにより、映像処理装置１００は、放送中の番組の録画ストリームのチャプタの一覧を含む画面を表示することができる。また、映像処理装置１００は、複数の番組でチャプタの表示を切り替えることができる。
【００５４】
これにより、映像処理装置１００は、複数のチャンネルの番組を同時に録画し、さらに録画している複数の番組の過去のシーンを一覧としてユーザに認識させることができる。この結果、より高い利便性を有する映像処理装置、映像処理方法、及び映像処理プログラムを提供することができる。
【００５５】
また、映像処理装置１００は、ストレージ１６０に記憶されている録画ストリームを再生し、録画ストリームが再生された再生映像と、チャプタの一覧とを含む画面を生成することができる。これにより、映像処理装置１００は、録画ストリームの現時点での映像と、過去のシーンとをユーザに認識させることができる。
【００５６】
また、映像処理装置１００は、複数の番組を同時に録画している場合、操作入力に応じて複数の録画ストリームのうちの１つを選択し、選択した録画ストリームに対応したチャプタの一覧を含む画面を生成することができる。さらに、映像処理装置１００は、記憶媒体に記憶されている複数の録画ストリームの再生映像を同時に画面に表示させることができる。これにより、映像処理装置１００は、複数の録画ストリームの現時点での映像と、操作入力に応じた１つの録画ストリームの過去のシーンとをユーザに認識させることができる。
【００５７】
また、制御部１５０は、番組終了後に録画ストリームを削除する構成であってもよい。例えば、制御部１５０は、録画した番組、即ち、サブ画面２０２に表示されていた番組が終了してから予め設定された所定時間が経過した場合、録画ストリーム及びチャプタを１６０から削除する。これにより、映像処理装置１００は、より効率的にストレージ１６０の領域を使用することができる。
【００５８】
図３は、映像処理装置１００の処理の他の例を示す。  
映像処理装置１００は、例えば、表示画面３００を生成する。表示画面３００は、サブ画面３０２、及びチャプタ表示領域３０３を有する。
【００５９】
制御部１５０は、録画処理部１５５により録画されている最中である複数の録画ストリームに基づく映像をサブ画面３０２に表示させる。例えば、チャンネルＡ乃至Ｄが録画中であるとする。この場合、制御部１５０は、チャンネルＡ乃至Ｄの録画ストリームを再生し、それぞれサブ画面３０２中に表示させる。
【００６０】
さらに、制御部１５０は、各録画ストリームに対応するチャプタの一覧をチャプタ表示領域３０３に表示する。例えば、制御部１５０は、チャンネルＡの録画ストリームが表示されているサブ画面３０２Ａに対応するように、チャンネルＡの録画ストリームのチャプタのサムネイルの一覧をチャプタ表示領域３０３Ａに表示させる。
【００６１】
また、同様に、制御部１５０は、チャンネルＢ乃至Ｄの録画ストリームが表示されているサブ画面３０２Ｂ乃至３０２Ｄにそれぞれ対応するように、チャンネルＢ乃至Ｄの録画ストリームのチャプタのサムネイルの一覧をチャプタ表示領域３０３Ｂ乃至３０３Ｄに表示させる。
【００６２】
またさらに、制御部１５０は、操作入力に応じてチャプタ表示領域３０３Ａ乃至３０３Ｄに表示されている複数のチャプタのうちの１つを選択する。制御部１５０は、選択したチャプタに対応する録画ストリームの再生を開始する。制御部１５０は、選択したチャプタの先頭から録画ストリームを再生し、ディスプレイ１３４の全面に表示する。
【００６３】
また、制御部１５０は、チャプタが選択された場合、図２に示すような表示画面２００に表示を切り替える構成であってもよい。この場合、制御部１５０は、選択したチャプタの先頭から録画ストリームを再生し、メイン画面に表示させる。また、制御部１５０は、操作入力に応じてディスプレイ１３４に表示する画面の構成を表示画面２００と表示画面３００とで切り替える構成であってもよい。
【００６４】
上記した構成によると、映像処理装置１００は、ストレージ１６０に記憶されている複数の録画ストリームの再生映像と、複数の録画ストリームにそれぞれ対応した複数のチャプタの一覧とを含む画面を生成することができる。これにより、映像処理装置１００は、録画をしている最中である複数の番組の過去のシーンを一覧としてユーザに認識させることができる。この結果、より高い利便性を有する映像処理装置、映像処理方法、及び映像処理プログラムを提供することができる。
【００６５】
なお、映像処理装置１００は、録画処理及びチャプタの生成処理を、映像処理装置１００が待機状態である場合に行う構成であってもよい。映像処理装置１００は、待機状態から動作状態に復帰した場合に、録画ストリームのチャプタの一覧をディスプレイ１３４に表示させることができる。これにより、映像処理装置１００は、ディスプレイ１３４の表示が消えている間に録画された番組の過去のシーンの一覧をユーザに認識させることができる。
【００６６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６８】
１００…映像処理装置、１０１…アンテナ、１１１…チューナ、１１２…復調部、１１３…信号処理部、１２１…音声処理部、１２２…スピーカ、１３１…映像処理部、１３３…表示処理部、１３４…ディスプレイ、１５０…制御部、１５１…ＣＰＵ、１５２…ＲＯＭ、１５３…ＲＡＭ、１５４…ＥＥＰＲＯＭ、１５５…録画処理部、１６０…ストレージ、１６１…操作入力部、１６２…受光部、１６３…リモートコントローラ、１７１…ＬＡＮインターフェース、１７３…ＨＤＭＩ端子。
【図１】
2014007701.tif 000003
【図２】
2014007701.tif 000004
【図３】
2014007701.tif 000005